(57)【要約】【課題】通貨処理装置を提供する。【解決手段】通貨処理装置１００は、入金された通貨の金種を鑑別する入金鑑別部３１と、第１収納庫１１、第２収納庫１２および回収庫１３を含む通貨収納部１と、通貨を第１収納庫１１、第２収納庫１２および回収庫１３に搬送する搬送部３と、第２の金種の通貨２２が入金された際に、第２収納庫１２に収納された通貨の枚数が所定収納枚数以上の場合、第１収納庫１１または回収庫１３に、第２の金種の通貨２２を収納するように搬送部３の制御を行う制御部４と、を備える。【選択図】図３
2020135276.tif 000002
【特許請求の範囲】
【請求項１】
入金された通貨の金種を鑑別する入金鑑別部と、
少なくとも、第１の金種の前記通貨を収納する第１収納庫、第２の金種の前記通貨を収納する第２収納庫および前記通貨をユーザが回収可能に収納する回収庫を含む通貨収納部と、
前記通貨を前記第１収納庫、前記第２収納庫および前記回収庫に搬送する搬送部と、
前記第２の金種の通貨が入金された際に、前記第２収納庫に収納された前記通貨の枚数が所定収納枚数以上の場合、前記第１収納庫または前記回収庫に、前記第２の金種の通貨を収納するように前記搬送部の制御を行う制御部と、を備える、通貨処理装置。
【請求項２】
前記制御部は、前記第２収納庫に収納された前記通貨としての紙幣の枚数が前記所定収納枚数以上の場合、前記第１収納庫に前記第２の金種の通貨を収納するように前記搬送部の制御を行うように構成されている、請求項１に記載の通貨処理装置。
【請求項３】
前記制御部は、出金を伴う入金処理に加えて出金を伴わない入金処理においても、前記第１収納庫に収納された前記第２の金種の通貨を前記回収庫に収納するように前記搬送部の制御を行うように構成されている、請求項１または２に記載の通貨処理装置。
【請求項４】
前記通貨収納部のそれぞれの収納庫に収納された前記通貨の金種と枚数とを記憶する記憶部をさらに備え、
前記制御部は、出金を伴う入金処理に加えて出金を伴わない入金処理においても、前記記憶部に記憶された前記通貨の金種と枚数とに基づいて、前記第１収納庫に収納された前記第２の金種の通貨を前記回収庫に収納するように前記搬送部の制御を行うように構成されている、請求項３に記載の通貨処理装置。
【請求項５】
前記制御部は、出金を伴う入金処理に加えて出金を伴わない入金処理においても、前記記憶部に記憶された前記通貨の金種と枚数とに基づいて、前記第２収納庫に収納された出金の際に釣銭として用いない金種の前記通貨を前記回収庫に搬送する制御を行うように構成されている、請求項４に記載の通貨処理装置。
【請求項６】
前記第１収納庫は、前記第２収納庫よりも収納可能な前記通貨としての紙幣の枚数が多くなるように構成されており、
前記第２収納庫は、前記第２の金種の通貨を含む複数の金種の前記通貨としての紙幣を収納する収納庫である、請求項１〜５のいずれか１項に記載の通貨処理装置。
【請求項７】
前記所定収納枚数は、前記第２収納庫内に収納可能な収納枚数よりも少ない収納枚数である、請求項１〜６のいずれか１項に記載の通貨処理装置。
【請求項８】
前記通貨は、紙幣であるとともに、
前記第１の金種の通貨は、最も低額な前記紙幣であり、
前記第２の金種の通貨は、最も高額な前記紙幣である、請求項１〜７のいずれか１項に記載の通貨処理装置。
【発明の詳細な説明】
【技術分野】
【０００１】
この発明は、通貨処理装置に関し、特に、通貨を収納する収納庫を備える通貨処理装置に関する。
【背景技術】
【０００２】
従来、通貨を収納する収納庫を備える通貨処理装置が知られている（たとえば、特許文献１参照）。
【０００３】
上記特許文献１には、紙幣を鑑別する紙幣鑑別センサと、千円紙幣を収納する千円紙幣収納庫と、千円紙幣以外の複数の金種の紙幣を収納する混合庫と、精査庫と、精査処理を行う精査制御部と、を備える通貨処理装置が開示されている。なお、精査庫は、千円紙幣収納庫および混合庫に収納された紙幣を精査処理の際に一時的に収納する。この特許文献１に記載の通貨処理装置では、入金された紙幣は、紙幣鑑別センサによって鑑別された後、金種に応じて紙幣収納庫内の精査庫、千円紙幣収納庫および混合庫のいずれかに収納されるように構成されている。
【先行技術文献】
【特許文献】
【０００４】
【特許文献１】特開２０１８−２５９２３号公報
【発明の概要】
【発明が解決しようとする課題】
【０００５】
上記特許文献１の通貨処理装置において、入金された紙幣は、紙幣鑑別センサ（入金鑑別部）によって鑑別された後、金種に応じて、紙幣収納庫内の精査庫、千円紙幣収納庫（千円庫）および混合庫のいずれかに収納される。しかしながら、上記特許文献１の通貨処理装置では、紙幣（通貨）の搬送先の収納庫の収納枚数が上限を超えた場合、入金を行うことはできない。そのため、多数の同一金種の通貨が入金された際に、入金の途中に搬送先の収納庫の収納枚数が上限に達して、入金が完了できずに取引（入金処理）が中断される場合がある。そこで、多数の同一金種の通貨が入金された際に、搬送先の収納庫の収納枚数が上限を超えても、入金が中断されないようにすることが望まれている。
【０００６】
この発明は、上記のような課題を解決するためになされたものであり、この発明の１つの目的は、多数の同一金種の通貨が入金された際に、搬送先の収納庫の収納枚数が上限を超えても、入金が中断されないようにすることが可能な通貨処理装置を提供することである。
【課題を解決するための手段】
【０００７】
上記目的を達成するために、この発明の一の局面による通貨処理装置は、入金された通貨の金種を鑑別する入金鑑別部と、少なくとも、第１の金種の通貨を収納する第１収納庫、第２の金種の通貨を収納する第２収納庫および通貨をユーザが回収可能に収納する回収庫を含む通貨収納部と、通貨を第１収納庫、第２収納庫および回収庫に搬送する搬送部と、第２の金種の通貨が入金された際に、第２収納庫に収納された通貨の枚数が所定収納枚数以上の場合、第１収納庫または回収庫に、第２の金種の通貨を収納するように搬送部の制御を行う制御部と、を備える。なお、通貨は、硬貨などの貨幣と、銀行券などの紙幣とを含む。
【０００８】
上記一の局面による通貨処理装置では、上記のように、第２の金種の通貨が入金された際に、第２収納庫に収納された通貨の枚数が所定収納枚数以上の場合、第１収納庫または回収庫に、第２の金種の通貨を収納するように搬送部の制御を行う制御部を備える。これにより、第２の金種の通貨の搬送先である第２収納庫の収納枚数が上限を超えた場合でも、第１収納庫または回収庫に第２の金種の通貨を収納することができる。そのため、搬送先の収納庫の収納枚数が上限を超えた場合でも入金を行うことができる。その結果、多数の同一金種の通貨が入金された際に、搬送先の収納庫の収納枚数が上限を超えても、入金が中断されないようにすることができる。
【０００９】
上記一の局面による通貨処理装置において、好ましくは、制御部は、第２収納庫に収納された通貨としての紙幣の枚数が所定収納枚数以上の場合、第１収納庫に第２の金種の通貨を収納するように搬送部の制御を行うように構成されている。このように構成すれば、多数の同一金種の紙幣が入金された際に、搬送先の収納庫の収納枚数が上限を超えても、紙幣の入金が中断されないようにすることが可能な通貨処理装置を提供することができる。
【００１０】
上記一の局面による通貨処理装置において、好ましくは、制御部は、出金を伴う入金処理に加えて出金を伴わない入金処理においても、第１収納庫に収納された第２の金種の通貨を回収庫に収納するように搬送部の制御を行うように構成されている。このように構成すれば、第１収納庫に収納された第２の金種の通貨は、出金を伴う入金処理に加えて出金を伴わない入金処理の後に、回収庫に収納される。すなわち、第１収納庫に収納された第２の金種の通貨は、入金処理のたびに、回収庫に収納される。これにより、出金の際には、第１の金種の通貨が、第１収納庫において通貨が搬出される側（搬送部に近い側）に常に配置される。その結果、第１収納庫に収納された第１の金種の通貨を出金する際に、第１の金種の通貨を迅速に出金することができる。
【００１１】
上記一の局面による通貨処理装置において、好ましくは、通貨収納部のそれぞれの収納庫に収納された通貨の金種と枚数とを記憶する記憶部をさらに備え、制御部は、出金を伴う入金処理に加えて出金を伴わない入金処理においても、記憶部に記憶された通貨の金種と枚数とに基づいて、第１収納庫に収納された第２の金種の通貨を回収庫に収納するように搬送部の制御を行うように構成されている。このように構成すれば、第１収納庫に収納された第２の金種の通貨の枚数を記憶部が記憶する。これにより、記憶部に記憶された通貨の金種と枚数とに基づいて、入金処理のたびに行われる第１収納庫に収納された第２の金種の通貨を回収庫に収納させる搬送部の制御をより正確に行うことができる。
【００１２】
この場合、好ましくは、制御部は、出金を伴う入金処理に加えて出金を伴わない入金処理においても、記憶部に記憶された通貨の金種と枚数とに基づいて、第２収納庫に収納された出金の際に釣銭として用いない金種の通貨を回収庫に搬送する制御を行うように構成されている。このように構成すれば、第２収納庫に収納された釣銭として用いない金種の通貨は、入金処理のたびに、回収庫に収納される。これにより、釣銭として用いられる金種の通貨が、第２収納庫において通貨が搬出される側（搬送部に近い側）に配置されるので、第２収納庫に収納された通貨を釣銭として用いる出金の際に、釣銭として用いる金種の通貨を迅速に出金することができる。
【００１３】
上記一の局面による通貨処理装置において、好ましくは、第１収納庫は、第２収納庫よりも収納可能な通貨としての紙幣の枚数が多くなるように構成されており、第２収納庫は、第２の金種の通貨を含む複数の金種の通貨としての紙幣を収納する収納庫である。このように構成すれば、第１収納庫に収納可能な通貨の枚数が比較的多くなるので、第２収納庫に収納できない第１の金種の通貨を、容易に、第１収納庫に収納することができる。また、複数の金種の通貨を第２収納庫にまとめて収納することができる。これにより、複数の金種毎に収納庫を設ける必要がないので、第２収納庫に第２の金種の通貨のみを収納する場合に比べて、部品点数の増加を抑制することができる。
【００１４】
上記一の局面による通貨処理装置において、好ましくは、所定収納枚数は、第２収納庫内に収納可能な収納枚数よりも少ない収納枚数である。このように構成すれば、第２収納庫に収納された通貨の枚数が所定収納枚数以上の場合に、第２の金種の通貨と第２の金種の通貨以外の通貨が連続して入金されても、第２の金種の通貨以外の通貨を第２収納庫に収納することができる。これにより、第２の金種の通貨が第２収納庫に収納できても、第２の金種の通貨以外の通貨が第２収納庫に収納できないことにより、第２の金種の通貨以外の通貨の入金が完了できず、取引（入金処理）の中断が発生することを抑制することができる。
【００１５】
上記一の局面による通貨処理装置において、好ましくは、通貨は、紙幣であるとともに、第１の金種の通貨は、最も低額な紙幣であり、第２の金種の通貨は、最も高額な紙幣である。ここで、高額の商品が購入される際には、最も高額な紙幣が多数入金される場合がある。そこで、上記一の局面による通貨処理装置のように構成することによって、高額の商品が購入される際に、最も高額な紙幣が多数入金された場合でも、搬送先の収納庫（第２収納庫）の収納枚数の上限を超えて、最も高額な紙幣が入金される。これにより、最も高額の紙幣が多数入金された場合でも、多数の同一金種の紙幣が入金された際に、搬送先の収納庫の収納枚数が上限を超えても、入金が中断されないようにすることが可能な通貨処理装置を提供することができる。
【発明の効果】
【００１６】
本発明によれば、上記のように、多数の同一金種の通貨が入金された際に、搬送先の収納庫の収納枚数が上限を超えても、入金が中断されないようにすることが可能な通貨処理装置を提供することができる。
【図面の簡単な説明】
【００１７】
【図１】本発明の一実施形態による通貨処理装置を備える通貨処理システムを示したブロック図である。
【図２】本発明の一実施形態による通貨処理装置の各部の構成を説明するための図である。
【図３】本発明の一実施形態による通貨処理装置の一時拡張処理を説明するための図である。
【図４】本発明の一実施形態による通貨処理装置の一時拡張処理後の千円庫の上澄み動作を説明するための図である。
【図５】本発明の一実施形態による通貨処理装置の混合庫の上澄み動作を説明するための図である。
【図６】本発明の一実施形態による通貨処理装置の第１変形例による各部の構成を説明するための図である。
【発明を実施するための形態】
【００１８】
以下、本発明を具体化した実施形態を図面に基づいて説明する。
【００１９】
（通貨処理装置の全体構成）
図１および図２を参照して、本実施形態による通貨処理装置１００の構成について説明する。
【００２０】
図１に示す本実施形態による通貨処理装置１００は、通貨処理システム３００に含まれている。通貨処理システム３００は、紙幣（銀行券）を処理する通貨処理装置１００と、ＰＯＳ（ｐｏｉｎｔ  ｏｆ  ｓａｌｅｓ）レジスタ装置２００とを含む。通貨処理装置１００は、紙幣を収納可能に構成されている。また、通貨処理装置１００は、釣銭として、紙幣を出金するように構成されている。また、通貨処理システム３００は、スーパーマーケットなどの店舗に設置されて、ＰＯＳシステムの一部を構築する装置である。通貨処理システム３００は、販売者（ユーザ）が会計などを行う際に用いられる。また、通貨処理システム３００は、硬貨を収納し、釣銭として、貨幣を出金するように構成されている硬貨処理装置（図示せず）を含む。
【００２１】
通貨処理装置１００は、図１に示すように、通貨収納部１と、搬送部３と、制御部４と、記憶部５とを備える。また、搬送部３には、入金鑑別部３１と、出金鑑別部３２とが設けられている。また、通貨処理装置１００とＰＯＳレジスタ装置２００とは通信可能に接続されている。具体的には、通貨処理装置１００の制御部４と、ＰＯＳレジスタ装置２００との間において、通信信号の送受信が行なわれる。通信信号の送受信は、有線通信により行われる。なお、通信信号の送受信は、無線通信により行ってもよい。また、通貨収納部１は、千円庫１１と、混合庫１２と、回収庫１３と、精査庫１４とを含む複数の収納庫で構成されている。
【００２２】
通貨処理装置１００は、図２に示すように、搬送部３は、入金鑑別部３１と、出金鑑別部３２とを備える。また、通貨処理装置１００は、入金口６と、出金口７とを備える。また、通貨収納部１（千円庫１１、混合庫１２、回収庫１３および精査庫１４）、入金口６および出金口７は、搬送部３に接続されている。
【００２３】
千円庫１１は、千円紙幣２１が収納される収納庫である。本実施形態では、千円庫１１は、混合庫１２よりも収納可能な通貨としての紙幣の枚数が多くなるように構成されている。また、千円紙幣２１は、入金時および出金時において、処理される枚数が最も多い。そのため、千円庫１１は、通貨収納部１の各収納庫（千円庫１１、混合庫１２、回収庫１３および精査庫１４）の中でも紙幣の収納可能枚数が最も多くなるように構成されている。なお、千円庫１１は、特許請求の範囲の「第１収納庫」の一例である。また、千円紙幣２１は、最も低額な紙幣であり、特許請求の範囲の「第１の金種の通貨」の一例である。
【００２４】
混合庫１２は、二千円紙幣２４、五千円紙幣２３および一万円紙幣２２が収納される収納庫である。なお、混合庫１２は、特許請求の範囲の「第２収納庫」の一例である。また、一万円紙幣２２は、最も高額な紙幣であり、特許請求の範囲の「第２の金種の通貨」の一例である。
【００２５】
回収庫１３は、釣銭として用いられない紙幣、たとえば、一万円紙幣２２、二千円紙幣２４および旧紙幣（図示せず）などが収納される収納庫である。回収庫１３は、ユーザが通貨処理装置１００に収納されている紙幣を回収可能に構成されている。具体的には、回収庫１３は、通貨処理装置１００に対して着脱可能に構成されている。これにより、ユーザは、収納された紙幣を回収庫１３ごと回収することが可能である。
【００２６】
精査庫１４は、精査処理を行う際に、千円庫１１および混合庫１２に収納されている紙幣を一時的に収納する収納庫である。なお、精査処理とは、千円庫１１および混合庫１２に収納された紙幣の枚数を再計数する処理である。また、精査庫１４には、後述する上澄み動作の際に、破れなどで判別できなかった紙幣（損券）が収納（退避）される。
【００２７】
また、千円庫１１、混合庫１２および精査庫１４の各々に、たとえば、プッシャー板（図示せず）などを設けて、これらの収納庫内を一時保留部と収納部とに区分けできるように構成してもよい。
【００２８】
搬送部３は、搬送機構（図示せず）を含み、制御部４の制御に基づいて、通貨処理装置１００内の紙幣の搬送を行う。搬送部３は、通貨処理装置１００内において、紙幣を搬送するように構成されている。具体的には、搬送部３は、入金口６から入金された紙幣を、金種に応じて千円庫１１または混合庫１２に搬送するように構成されている。また、搬送部３は、精査処理時において、千円庫１１または混合庫１２に収納された紙幣を精査庫１４に搬送するように構成されている。また、搬送部３は、出金時において、混合庫１２に収納された紙幣を精査庫１４または出金口７に搬送するように構成されている。また、搬送部３は、出金時において、千円庫１１に収納された紙幣を出金口７に搬送するように構成されている。また、搬送部３は、ユーザが通貨処理装置１００に収納されている紙幣を回収する回収時において、千円庫１１、混合庫１２および精査庫１４に収納された紙幣を回収庫１３または出金口７に搬送するように構成されている。また、搬送部３は、精査処理終了時において、精査庫１４に収容された紙幣を、紙幣が元々収納されていた収納庫（千円庫１１または混合庫１２）に戻す場合に、精査庫１４の紙幣を搬送するように構成されている。また、搬送部３は、後述する上澄み動作時において、千円庫１１または混合庫１２に収納された釣銭として用いない紙幣（二千円紙幣２４および一万円紙幣２２）を回収庫１３または精査庫１４に搬送するように構成されている。
【００２９】
入金鑑別部３１は、入金された紙幣（通貨）の金種を鑑別するように構成されている。また、入金鑑別部３１は、搬送部３に設けられており、入金された紙幣が通過する際に金種を判別するとともに、正貨であるか否かを鑑別する。
【００３０】
出金鑑別部３２は、搬送部３に設けられており、千円庫１１および混合庫１２に収納された紙幣が出金もしくは千円庫１１および混合庫１２以外の収納庫に搬送される際に、通過した紙幣の金種を判別する。
【００３１】
制御部４は、ＣＰＵおよびメモリを含み、通貨処理装置１００各部を制御するように構成されている。制御部４は、搬送部３を制御し、設定された搬送先に紙幣を搬送するように制御している。
【００３２】
また、制御部４は、通貨収納部１の紙幣の収納枚数を管理（計算）する制御を行うように構成されている。具体的には、制御部４は、千円庫１１および混合庫１２に収納されている紙幣の枚数を、金種毎に区別して管理している。また、制御部４は、回収庫１３および精査庫１４に収納されている紙幣の枚数を、金種毎に区別して管理している。制御部４は、後述する記憶部５に記憶された紙幣の金種と枚数とに基づいて、通貨収納部１に収納されている紙幣の枚数を管理するように構成されている。つまり、制御部４は、予め収納されている紙幣の収納枚数（Ｎ１）に、新たに収納される紙幣の枚数（Ｎ２）を加算するとともに、出金される紙幣の枚数（Ｎ３）を減算することにより、現在収納されている紙幣の枚数（Ｎ）を算出（Ｎ＝Ｎ１＋Ｎ２−Ｎ３）する。このように、制御部４は、紙幣の枚数を更新しながら管理する。
【００３３】
ここで、本実施形態では、制御部４は、混合庫１２の収納枚数が所定収納枚数以上の場合には、千円庫１１に、一万円紙幣２２を収納するように搬送部３の制御を行っている。また、制御部４は、千円庫１１、混合庫１２および精査庫１４に収納された一万円紙幣２２の合計が一定枚数以上となった際に、一定枚数を超えた一万円紙幣２２は、回収庫１３に収納するように搬送部３を制御する。
【００３４】
記憶部５は、通貨収納部１のそれぞれの収納庫（千円庫１１、混合庫１２、回収庫１３および精査庫１４）に収納された紙幣（通貨）の金種と枚数とを記憶する。また、記憶部５は、通貨収納部１の各収納庫（千円庫１１、混合庫１２、回収庫１３および精査庫１４）に収納する際の紙幣の順番を記憶する。また、記憶部５は、入金鑑別部３１および出金鑑別部３２により鑑別された出金枚数情報と金種とを記憶している。
【００３５】
入金口６は、ユーザが取引の際に紙幣を入金するための開口部である。入金口６は、搬送部３と接続しており、入金口６より入金された紙幣は、搬送部３を介して、設定された搬送先である通貨収納部１の各収納庫に搬送される。
【００３６】
出金口７は、ユーザが出金の際に通貨処理装置１００より、紙幣を受け取るために、紙幣を出金するための開口部である。出金口７は、搬送部３と接続しており、通貨収納部１に収納された紙幣が搬送部３より搬送され、出金される。
【００３７】
なお、以降の説明において、入金口６および出金口７が設けられている側（図左側）を手前側、手前側と反対側の混合庫１２が設けられている側（図右側）を奥側とする。
【００３８】
以下に、通貨処理装置１００の動作について説明する。
【００３９】
（入金時の動作）
ユーザにより、紙幣が入金口６に入金されると、搬送部３により紙幣の搬送が行われる。入金された紙幣は、搬送部３により搬送されながら、入金鑑別部３１を通過する際に、紙幣の金種（千円紙幣２１、二千円紙幣２４、五千円紙幣２３および一万円紙幣２２）と正貨であるか否かとが鑑別される。また、制御部４は、入金鑑別部３１の鑑別結果に基づいて、入金された紙幣を定められた搬送先に搬送を行うように搬送部３を制御する。具体的には、千円紙幣２１は、千円庫１１に収納され、二千円紙幣２４、五千円紙幣２３および一万円紙幣２２は、混合庫１２に収納される。この際に、記憶部５は、紙幣の搬送先（収納庫）と、搬送された紙幣の金種と枚数とを記憶する。また、制御部４は、鑑別した媒体が正貨でなければ、出金口７から排出する制御（返却）を行う。
【００４０】
また、制御部４は、千円庫１１および混合庫１２から紙幣を搬送部３により搬送する制御を行う。たとえば、制御部４は、釣銭として紙幣を出金する場合や、紙幣の枚数を精査する精査処理を行う場合に、千円庫１１および混合庫１２から紙幣を搬送する制御を行う。また、この場合、記憶部５は、出金鑑別部３２により鑑別された千円庫１１および混合庫１２から送り出される紙幣の枚数を記憶する。具体的には、記憶部５は、出金鑑別部３２により、判別された金種とともに、送り出される紙幣の枚数を金種毎に記憶する。
【００４１】
（出金時の動作）
制御部４は、釣銭用の紙幣を千円庫１１および混合庫１２から繰り出して、出金口７に排出する制御（出金）を行うように構成されている。具体的には、制御部４は、出金鑑別部３２により、千円庫１１および混合庫１２から繰り出される紙幣の種類および枚数を計測して、釣銭に必要な紙幣を搬送部３により出金口７に搬送する制御を行う。なお、混合庫１２には、複数の金種（二千円紙幣２４、五千円紙幣２３および一万円紙幣２２）が入金時に、収納されるので、釣銭として用いられない紙幣は、出金時に、回収庫１３または精査庫１４に搬送される。つまり、出金時に、混合庫１２に収納された紙幣は、釣銭として用いられる紙幣（五千円紙幣２３）が出金口７に搬送され、払い出されない分は、回収庫１３または精査庫１４に搬送される。
【００４２】
（精査時の動作）
制御部４は、千円庫１１および混合庫１２に収納した紙幣の枚数を再計数する精査処理を行うよう制御する。具体的には、千円庫１１および混合庫１２から搬送部３を介して紙幣が精査庫１４に搬送される。この際に、搬送される紙幣の金種および枚数が出金鑑別部３２により、計測される。精査庫１４に送られた紙幣は、所定のタイミングにおいて、千円庫１１および混合庫１２に戻される。また、出金鑑別部３２により金種を判別できなかった紙幣は出金口７に搬送される。つまり、通貨処理装置１００は、千円庫１１および混合庫１２内に収納されており、出金鑑別部３２により金種が判別できた紙幣を出金口７から外に出すことなく、通貨処理装置１００内の循環により精査処理を行える。精査処理は、ユーザの操作に基づいて開始される。
【００４３】
（紙幣収納枚数の一時拡張処理）
次に、混合庫１２の収納枚数が所定収納枚数以上の場合の入金時に制御部４が行う、紙幣収納枚数の一時拡張処理について、図３を例に説明を行う。
【００４４】
ここで、本実施形態では、制御部４は、混合庫１２の収納枚数が所定収納枚数以上の場合には、千円庫１１に、一万円紙幣２２を収納するように搬送部３の制御を行っている。具体的には、混合庫１２に収納された紙幣の枚数が所定収納枚数に達した際に、制御部４は、以降に入金鑑別部３１で鑑別された一万円紙幣２２の搬送先を混合庫１２から千円庫１１に切り替える。さらに、制御部４は、搬送部３を制御することにより、一万円紙幣２２を千円庫１１に収納させる（図３参照）。これにより、一万円紙幣２２の紙幣収納枚数が一時的に拡張される処理（一時拡張処理）が行われる。なお、複数枚の一万円紙幣２２が連続して入金された場合には、混合庫１２に収納された紙幣の枚数が所定収納枚数に達すると制御部４が判断した時点で、一万円紙幣２２の搬送先を混合庫１２から千円庫１１に切り替える。また、搬送先を切り替える紙幣は、予め設定することが可能であり、上記のように一万円紙幣２２のみ搬送先を切り替えるようにしてもよいし、混合庫１２に設定されたそれぞれの紙幣（一万円紙幣２２、五千円紙幣２３および二千円紙幣２４）の搬送先を個別に切り替えるようにしてもよい。また、紙幣の搬送先を切り替えない（一時拡張処理を行わない）ように設定を変更できるようにしても構わない。
【００４５】
また、本実施形態では、所定収納枚数は、混合庫１２内に収納可能な収納枚数よりも少ない収納枚数である。具体的には、所定収納枚数とは、たとえば、通貨収納部１の各収納庫の収納可能な収納枚数の八割を超えた枚数である。つまり、千円庫１１の収納可能な収納枚数の上限が、２５０枚の場合、所定収納枚数は２０１枚であり、混合庫１２の収納可能な収納枚数の上限が、１００枚の場合、所定収納枚数は８１枚である。また、切り替え後の搬送先の各収納庫（千円庫１１、混合庫１２、回収庫１３および精査庫１４）へは、上記の所定収納枚数を超えても収納可能であり、収納可能な収納枚数の上限まで、つまり、収納庫が満杯になるまで収納を行うようにしてもよい。
【００４６】
（上澄み動作）
本実施形態では、混合庫１２には、二千円紙幣２４、五千円紙幣２３および一万円紙幣２２が収納される。また、上記の一時拡張処理が行われた場合、千円庫１１には、千円紙幣２１および一万円紙幣２２が収納される。本実施形態では、紙幣は、入金時に千円庫１１および混合庫１２の手前側（入金口６側）から順に収納され、紙幣は一枚ずつ重ねて収納されていく。また、出金時には、千円庫１１および混合庫１２の手前側（入金口６側）から順に紙幣は出金される。そのため、千円庫１１および混合庫１２に収納された釣銭として用いる紙幣（千円紙幣２１および五千円紙幣２３）に、釣銭として用いない紙幣（二千円紙幣２４および一万円紙幣２２）が手前側に重なっている場合には、出金時に、釣銭として用いる紙幣（千円紙幣２１および五千円紙幣２３）が最も手前側に配置するように、釣銭として用いない紙幣（二千円紙幣２４および一万円紙幣２２）を回収庫１３または精査庫１４に搬送する動作（上澄み動作）を行うように制御部４は、搬送部３を制御する。
【００４７】
また、本実施形態では、制御部４は、出金を伴う入金処理に加えて出金を伴わない入金処理においても、記憶部５に記憶された紙幣（通貨）の金種と枚数とに基づいて、千円庫１１に収納された一万円紙幣２２を回収庫１３に搬送（退避）するように搬送部３の制御を行う。また、本実施形態では、制御部４は、出金を伴う入金処理に加えて出金を伴わない入金処理においても、記憶部５に記憶された紙幣（通貨）の金種と枚数とに基づいて、混合庫１２に収納された釣銭として用いない紙幣（二千円紙幣２４および一万円紙幣２２）を回収庫１３に搬送（退避）するように搬送部３の制御を行う。なお、出金を伴う入金処理とは、会計などの取引を行う際に、入金後に釣銭が発生する取引の処理である。出金を伴う入金処理では、ＰＯＳレジスタ装置２００からの釣銭を出金する指示を受け付けたことに基づいて、制御部４は、釣銭を出金した後に、上澄み動作を行う。また、出金を伴わない入金処理とは、会計などの取引を行う際に、入金後に釣銭が発生しない取引の処理である。出金を伴わない入金処理では、制御部４は、ＰＯＳレジスタ装置２００からの指示に基づいて、釣銭が発生しない取引と判断し、上澄み動作を行う。すなわち、上澄み動作は、出金の有無（釣銭の有無）に関わらず、取引毎に行われる。
【００４８】
（一時拡張処理後の上澄み動作）
一時拡張処理後の上澄み動作について、図３および図４を例に説明を行う。制御部４は、上記の一時拡張の際に千円庫１１に収納された一万円紙幣２２を回収庫１３に収納するための制御を行う。たとえば、図３に示すように、一時拡張の際に千円庫１１に一万円紙幣２２が３枚収納された場合、記憶部５が、収納された金種（一万円紙幣２２）と枚数（３枚）を記憶している。そして、制御部４は、記憶部５に記憶された金種と枚数に基づいて、搬送部３を制御し、千円庫１１に収納された紙幣を回収庫１３に搬送し、回収庫１３に収納させる（図４参照）。この際、記憶部５には、千円庫１１に一万円紙幣２２が３枚収納されたことが記憶されている、つまり、千円紙幣２１の手前側には一万円紙幣２２が３枚重なって収納されていることがわかる。その結果、制御部４は、図４に示すように、千円庫１１に収納された紙幣を３枚、順に回収庫１３に搬送する制御を行えばよい。これにより、千円庫１１に一時的に収納されていた一万円紙幣２２は、全て回収庫１３に収納される。
【００４９】
（混合庫の上澄み動作）
また、混合庫１２には、釣銭として用いられる五千円紙幣２３以外にも釣銭として用いられない一万円紙幣２２および二千円紙幣２４が収納される（図２参照）。そのため、釣銭として用いる五千円紙幣２３より手前側には、釣銭として用いられない一万円紙幣２２や二千円紙幣２４が重なって収納される場合がある。この場合、出金時の釣銭として用いられるのは、五千円紙幣２３であるので、制御部４は、釣銭として用いられない一万円紙幣２２および二千円紙幣２４を回収庫１３などの別の収納庫に搬送させる制御を行う（図５参照）。
【００５０】
（本実施形態の効果）
本実施形態では、以下のような効果を得ることができる。
【００５１】
本実施形態では、一万円紙幣２２（第２の金種の通貨）が入金された際に、混合庫１２（第２収納庫）に収納された紙幣（通貨）の枚数が所定収納枚数以上の場合、千円庫１１（第１収納庫）または回収庫１３に、一万円紙幣２２（第２の金種の通貨）を収納するように搬送部３の制御を行う制御部４を備える。これにより、一万円紙幣２２（第２の金種の通貨）の搬送先である混合庫１２（第２収納庫）の収納枚数が上限を超えた場合でも、千円庫１１（第１収納庫）または回収庫１３に一万円紙幣２２（第２の金種の通貨）を収納することができる。そのため、搬送先の混合庫１２（第２収納庫）の収納枚数が上限を超えた場合でも入金を行うことができる。その結果、多数の一万円紙幣２２（同一金種の通貨）が入金された際に、搬送先の混合庫１２（第２収納庫）の収納枚数が上限を超えても、入金が中断されないようにすることができる。
【００５２】
また、本実施形態では、上記のように、制御部４は、混合庫１２（第２収納庫）に収納された通貨としての紙幣の枚数が所定収納枚数以上の場合、千円庫１１（第１収納庫）に一万円紙幣２２（第２の金種の通貨）を収納するように搬送部３の制御を行う。これにより、多数の一万円紙幣２２（同一金種の紙幣）が入金された際に、搬送先の混合庫１２（第２の収納庫）の収納枚数が上限を超えても、紙幣の入金が中断されないようにすることが可能な通貨処理装置１００を提供することができる。
【００５３】
また、本実施形態では、上記のように、制御部４は、出金を伴う入金処理に加えて出金を伴わない入金処理においても、千円庫１１（第１収納庫）に収納された一万円紙幣２２（第２の金種の通貨）を回収庫１３に収納するように搬送部３の制御を行う。これにより、千円庫１１（第１収納庫）に収納された一万円紙幣２２（第２の金種の通貨）は、出金を伴う入金処理に加えて出金を伴わない入金処理の後に、回収庫１３に収納される。すなわち、千円庫１１（第１収納庫）に収納された一万円紙幣２２（第２の金種の通貨）は、入金処理のたびに、回収庫１３に収納される。これにより、出金の際には、千円紙幣２１（第１の金種の通貨）が、千円庫１１（第１収納庫）において紙幣（通貨）が搬出される側（搬送部３に近い手前側）に常に配置される。その結果、千円庫１１（第１収納庫）に収納された千円紙幣２１（第１の金種の通貨）を出金する際に、千円紙幣２１（第１の金種の通貨）を迅速に出金することができる。
【００５４】
また、本実施形態では、上記のように、通貨収納部１のそれぞれの収納庫に収納された通貨の金種と枚数とを記憶する記憶部５をさらに備え、制御部４は、出金を伴う入金処理に加えて出金を伴わない入金処理においても、記憶部５に記憶された紙幣（通貨）の金種と枚数とに基づいて、千円庫１１（第１収納庫）に収納された一万円紙幣２２（第２の金種の通貨）を回収庫１３に収納するように搬送部３の制御を行う。これにより、千円庫１１（第１収納庫）に収納された一万円紙幣２２（第２の金種の通貨）の枚数を記憶部５が記憶する。その結果、記憶部５に記憶された紙幣の金種と枚数とに基づいて、入金処理のたびに行われる千円庫１１（第１収納庫）に収納された一万円紙幣２２（第２の金種の通貨）を回収庫１３に収納させる搬送部３の制御をより正確に行うことができる。
【００５５】
また、本実施形態では、上記のように、制御部４は、出金を伴う入金処理に加えて出金を伴わない入金処理においても、記憶部５に記憶された紙幣（通貨）の金種と枚数とに基づいて、混合庫１２（第２収納庫）に収納された出金の際に釣銭として用いない金種の紙幣（通貨）を回収庫１３に搬送する制御を行う。これにより、混合庫１２（第２収納庫）に収納された二千円紙幣２４および一万円紙幣２２（釣銭として用いない金種の通貨）は、入金処理のたびに、回収庫１３に収納される。その結果、千円紙幣２１および五千円紙幣２３（釣銭として用いられる金種の通貨）が、混合庫１２（第２収納庫）において紙幣（通貨）が搬出される側（搬送部３に近い手前側）に配置されるので、混合庫１２（第２収納庫）に収納された紙幣（通貨）を釣銭として用いる出金の際に、千円紙幣２１および五千円紙幣２３（釣銭として用いられる金種の通貨）を迅速に出金することができる。
【００５６】
また、本実施形態では、上記のように、千円庫１１（第１収納庫）は、混合庫１２（第２収納庫）よりも収納可能な通貨としての紙幣の枚数が多くなるように構成されており、混合庫１２（第２収納庫）は、一万円紙幣２２（第２の金種の通貨）を含む複数の金種の通貨としての紙幣を収納する収納庫である。これにより、複数の金種の紙幣（通貨）を混合庫１２（第２収納庫）にまとめて収納することができる。これにより、千円庫１１（第１収納庫に）収納可能な紙幣（通貨）の枚数が比較的多くなるので、混合庫１２（第２収納庫）に収納できない千円紙幣２１（第１の金種の通貨）を、容易に、千円庫１１（第１収納庫）に収納することができる。また、複数の金種毎に収納庫を設ける必要がないので、混合庫１２（第２収納庫）に一万円紙幣２２（第２の金種の通貨）のみを収納する場合に比べて、部品点数の増加を抑制することができる。
【００５７】
また、本実施形態では、上記のように、所定収納枚数は、第２収納庫内に収納可能な収納枚数よりも少ない収納枚数である。これにより、混合庫１２（第２収納庫）に収納された紙幣（通貨）の枚数が所定収納枚数以上の場合に、一万円紙幣２２（第２の金種の通貨）と一万円紙幣２２（第２の金種の通貨）以外の紙幣（通貨）が連続して入金されても、一万円紙幣２２（第２の金種の通貨）以外の紙幣（通貨）を混合庫１２（第２収納庫）に収納することができる。これにより、一万円紙幣２２（第２の金種の通貨）が混合庫１２（第２収納庫）に収納できても、一万円紙幣２２（第２の金種の通貨）以外の紙幣（通貨）が混合庫１２（第２収納庫）に収納できないことにより、一万円紙幣２２（第２の金種の通貨）以外の紙幣（通貨）の入金が完了できず、取引（入金処理）の中断が発生することを抑制することができる。
【００５８】
また、本実施形態では、上記のように、通貨は、紙幣であるとともに、千円紙幣２１（第１の金種の通貨）は、最も低額な紙幣であり、一万円紙幣２２（第２の金種の通貨）は、最も高額な紙幣である。これにより、高額の商品が購入される際に、最も高額な紙幣である一万円紙幣２２（第２の金種の通貨）が多数入金された場合でも、搬送先の混合庫１２（第２収納庫）の収納枚数の上限を超えて、最も高額な紙幣である一万円紙幣２２（第２の金種の通貨）が入金される。これにより、最も高額な紙幣である一万円紙幣２２（第２の金種の通貨）が多数入金された際に、搬送先の収納庫の収納枚数が上限を超えても、入金が中断されないようにすることが可能な通貨処理装置１００を提供することができる。
【００５９】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００６０】
たとえば、上記実施形態では、通貨が紙幣である例を示したが、本発明はこれに限られない。たとえば、通貨として硬貨の処理を行う通貨処理装置に本発明を適用してもよい。
【００６１】
また、上記実施形態では、混合庫１２（第２収納庫）は、二千円紙幣２４、五千円紙幣２３および一万円紙幣２２（第２の金種の通貨）を混在して収納させる例を示したが、本発明はこれに限られない。本発明では、第２収納庫は、第２の金種の通貨のみを収納する収納庫としてもよく、それぞれの金種の通貨毎に収納庫を設けてもよい。
【００６２】
また、上記実施形態では、通貨収納部１は、千円庫１１（第１収納庫）と、混合庫１２（第２収納庫）と、回収庫１３と、精査庫１４により構成される例を示したが、本発明はこれに限られない。本発明では、図６に示す第１変形例のように、第１収納庫（千円庫１１）および第２収納庫（混合庫１２）に入りきれない紙幣を収納するオーバーフロー庫１５をさらに備えてもよい。
【００６３】
また、上記実施形態では、一万円紙幣２２（第２の金種の通貨）の一時拡張処理の際の搬送先を千円庫１１（第１収納庫）に切り替える例を示したが、本発明はこれに限られない。本発明では、搬送先を回収庫および精査庫に切り替えてもよいし、図６に示す第１変形例のように、オーバーフロー庫１５に切り替えてもよい。
【００６４】
また、上記実施形態では、紙幣は、収納庫より出金する際に入金する際と同じ搬送部３内の経路を通って搬送される例を示したが、本発明はこれに限られない。本発明では、収納庫に複数の搬送経路が接続されていてもよい。
【００６５】
また、上記実施形態では、紙幣は、最も後に入金された紙幣から順に出金される例を示したが、本発明はこれに限られない。本発明では、最も初めに入金された紙幣から順に出金を行うようにしてもよい。
【００６６】
また、上記実施形態では、所定収納枚数は、混合庫１２（第２収納庫）に収納可能な収納枚数の八割を超えた枚数とする例を示したが、本発明はこれに限られない。本発明では、第２収納庫に収納可能な収納枚数を所定収納枚数としてもよいし、収納可能な収納枚数の八割を超えない枚数でもよい。
【符号の説明】
【００６７】
１  通貨収納部
３  搬送部
４  制御部
５  記憶部
１１  千円庫（第１収納庫）
１２  混合庫（第２収納庫）
１３  回収庫
２１  千円紙幣（第１の金種の通貨）
２２  一万円紙幣（第２の金種の通貨）
３１  入金鑑別部
１００  通貨処理装置
【図１】
2020135276.tif 000003
【図２】
2020135276.tif 000004
【図３】
2020135276.tif 000005
【図４】
2020135276.tif 000006
【図５】
2020135276.tif 000007
【図６】
2020135276.tif 000008